(57)【特許請求の範囲】
【請求項１】
透明基板と、前記透明基板の上に配置され且つ第一重畳構造を具備するタッチモジュールと、を含むタッチパネルにおいて、
前記第一重畳構造は、透明支持層と、パターン化導電層と、複数の長手導線と、透明接着剤層と、導線保護層と、を具備し、
前記透明支持層は、作動区と、延伸部と、前記作動区と前記延伸部とをそれぞれ繋げる複数の折れ部と、を具備し、
前記パターン化導電層は、前記透明支持層の上に配置され、且つ前記作動区の上に配置されている電極パターン区及び前記電極パターン区から延伸して形成される複数の接続部を具備し、
前記複数の長手導線は、前記複数の接続部とそれぞれ電気接続するように前記透明支持層の上に配置され、且つ前記延伸部まで延伸しており、
前記透明接着剤層は、前記電極パターン区を覆うように前記透明支持層の上に配置され、
前記導線保護層は、前記透明支持層の上に配置されて、前記延伸部にある複数の長手導線の少なくとも一部を覆い、前記透明接着剤層は、複数の接続部の一部をさらに覆う、ことを特徴とするタッチパネル。
【請求項２】
前記複数の接続部は、前記作動区から前記複数の折れ部の上まで延伸していることを特徴とする請求項１に記載のタッチパネル。
【請求項３】
前記導線保護層は、前記接続部の上にある前記複数の長手導線の一部をさらに覆うことを特徴とする請求項１に記載のタッチパネル。
【請求項４】
前記透明接着剤層は、前記接続部の上にある前記複数の長手導線の一部をさらに覆うことを特徴とする請求項１に記載のタッチパネル。
【請求項５】
前記タッチモジュールが隔離フィルムをさらに含み、前記隔離フィルムは、前記第一重畳構造の透明接着剤層により前記第一重畳構造のパターン化導電層に接着されていることを特徴とする請求項１に記載のタッチパネル。
【請求項６】
前記タッチモジュールが前記第一重畳構造に重畳されている第二重畳構造をさらに含むことを特徴とする請求項１に記載のタッチパネル。
【請求項７】
前記第二重畳構造は、透明支持層と、パターン化導電層と、複数の長手導線と、透明接着剤層と、導線保護層と、をさらに具備し、
前記透明支持層は、作動区と、延伸部と、前記作動区と前記延伸部とをそれぞれ繋げる複数の折れ部と、を具備し、
前記パターン化導電層は、前記透明支持層の上に配置され、且つ前記作動区の上に配置されている電極パターン区及び電極パターン区から延伸して形成された複数の接続部を具備し、
前記複数の長手導線は、前記複数の接続部とそれぞれ電気接続するように透明支持層の上に配置され、且つ前記延伸部まで延伸しており、
前記透明接着剤層は、前記透明支持層の上に配置されて前記電極パターン区を覆い、
前記導線保護層は、前記透明支持層の上に配置されて、前記延伸部にある複数の長手導線の少なくとも一部を覆い、前記透明接着剤層は、複数の接続部の一部をさらに覆うことを特徴とする請求項６に記載のタッチパネル。
【請求項８】
前記第二重畳構造の前記電極パターン区の電極パターンと前記第一重畳構造の前記電極パターン区の電極パターンとが互いに補い合うことを特徴とする請求項７に記載のタッチパネル。
【請求項９】
前記タッチモジュールが隔離フィルムをさらに含み、前記隔離フィルムは、前記第二重畳構造の透明接着剤層により前記第二重畳構造のパターン化導電層に接着されていることを特徴とする請求項７に記載のタッチパネル。
【請求項１０】
前記パターン化導電層が透明な導電層であることを特徴とする請求項１に記載のタッチパネル。
【請求項１１】
前記透明接着剤層が光学透明接着剤層であることを特徴とする請求項１に記載のタッチパネル。
【請求項１２】
前記導線保護層がポリイミド層（PI  layer、polyimide  layer）であることを特徴とする請求項１に記載のタッチパネル。
【請求項１３】
前記透明接着剤層の透光率が前記導線保護層の透光率より大きいことを特徴とする請求項１に記載のタッチパネル。
【請求項１４】
前記透明接着剤層の透光率が９０％以上であり、前記導線保護層の透光率が９０％以下であることを特徴とする請求項１３に記載のタッチパネル。
【発明の詳細な説明】
【技術分野】
【０００１】
本願は、タッチパネルに関する。
【背景技術】
【０００２】
近年、デジタル技術、無線通信及びデジタル家電の急速な発展と広範な応用に伴って、多いデジタル電子装置がキーボード或いはマウスを使わなく、タッチパネルを操作インターフェース或いは入力装置として使っている。よく見かけるタッチパネルは、抵抗膜方式タッチパネルと静電容量方式タッチパネルがある。大型平面表示装置（例えば、パソコンの表示装置、オールインワンパソコン、テレビなど）或いは小型表示パネルを具備する携帯装置（例えば、スマートフォン、タブレットパソコンなど）に用いられるタッチパネルにおいて、いずれもフレキシブルプリント基板によってデータを伝送する。図１４は、従来のタッチ型表示装置２０を示す図である。図１４において、フレーム２１と表示パネル２２或いはタッチパネル２３との間には、フレキシブルプリント基板２４を曲げることができるスペースが形成されている。
【０００３】
特許文献１には、タッチパネルのフレキシブル基板に電極を形成するとともに、フレキシブル基板に跡線を形成して、フレキシブル基板と次の電子部品が電気接続するようにする技術事項が開示されている。特許文献２には、フレキシブルプリント基板がタッチパネルの側面からタッチパネルの背面まで曲げられている技術事項が開示されている。特許文献３には、フレキシブルプリント基板に穴を開けることにより、曲げ応力を減らす技術事項が開示されている。特許文献４には、フレキシブルプリント基板とタッチパネルとの間の接続関係が開示されている。
【先行技術文献】
【特許文献】
【０００４】
【特許文献１】台湾公開特許第２０１２３２３６２号公報
【特許文献２】台湾公開特許第２０１２０３０３６号公報
【特許文献３】台湾特許第Ｉ３２０１１４号
【特許文献４】中国公開特許第１０２１２２２２３Ａ号公報
【発明の概要】
【発明が解決しようとする課題】
【０００５】
本願の目的は、データを有効に伝送することができるタッチパネルを提供することにある。
【０００６】
本願の他の目的と発明の効果は、本発明が開示した技術特徴から理解し得ることができる。
【課題を解決するための手段】
【０００７】
前述した一部或いはすべての目的と他の目的を実現するため、本発明の実施例では、後述するタッチパネルを提供する。本発明のタッチパネルは、透明基板と、透明基板の上に配置されているタッチモジュールと、を含む。タッチモジュールは、第一重畳構造を具備する。第一重畳構造は、透明支持層と、パターン化導電層と、複数の長手導線と、透明接着剤層と、導線保護層と、を具備する。透明支持層は、作動区と、延伸部と、作動区と延伸部をそれぞれ繋げる複数の折れ部と、を具備する。パターン化導電層は、透明支持層の上に配置され、且つ電極パターン区及び電極パターン区から延伸して形成された複数の接続部を具備する。電極パターン区と複数の接続部は、作動区の上に配置されている。複数の長手導線は、複数の接続部とそれぞれ電気接続するように透明支持層の上に配置され、且つ延伸部まで延伸している。透明接着剤層は、電極パターン区を覆うように透明支持層の上に配置されている。導線保護層は、透明支持層の上に配置されて、延伸部にある複数の長手導線の少なくとも一部を覆う。透明接着剤層は、複数の接続部の一部をさらに覆う。
【０００８】
本願の実施例に係るタッチパネルにおいて、複数の接続部が作動区から複数の折れ部の上まで延伸している。
【０００９】
本願の実施例に係るタッチパネルにおいて、導線保護層が接続部の上にある複数の長手導線の一部をさらに覆う。
【００１０】
本願の実施例に係るタッチパネルにおいて、透明接着剤層が接続部の上にある複数の長手導線の一部をさらに覆う。
【００１１】
本願の実施例に係るタッチパネルにおいて、タッチモジュールが隔離フィルムをさらに含む。隔離フィルムは、第一重畳構造の透明接着剤層により第一重畳構造のパターン化導電層に接着されている。
【００１２】
本願の実施例に係るタッチパネルにおいて、タッチモジュールが第二重畳構造をさらに含む。第二重畳構造は、第一重畳構造に重畳されている。
【００１３】
本願の実施例に係るタッチパネルにおいて、第二重畳構造は、透明支持層と、パターン化導電層と、複数の長手導線と、透明接着剤層と、導線保護層と、をさらに具備する。透明支持層は、作動区と、延伸部と、作動区と延伸部をそれぞれ繋げる複数の折れ部と、を具備する。パターン化導電層は、透明支持層の上に配置され、且つ電極パターン区と電極パターン区から延伸して形成された複数の接続部とを具備する。電極パターン区と複数の接続部は、作動区の上に配置されている。複数の長手導線は、複数の接続部とそれぞれ電気接続するように透明支持層の上に配置され、且つ延伸部まで延伸している。透明接着剤層は、透明支持層の上に配置されて電極パターン区を覆う。導線保護層は、透明支持層の上に配置されて、延伸部にある複数の長手導線の少なくとも一部を覆う。透明接着剤層は、複数の接続部の一部をさらに覆う。
【００１４】
本願の実施例に係るタッチパネルにおいて、第二重畳構造の電極パターン区の電極パターンと第一重畳構造の電極パターン区の電極パターンとが互いに補い合う。
【００１５】
本願の実施例に係るタッチパネルにおいて、タッチモジュールが隔離フィルムをさらに含む。隔離フィルムは、第二重畳構造の透明接着剤層により第二重畳構造のパターン化導電層に接着されている。
【００１６】
本願の実施例に係るタッチパネルにおいて、パターン化導電層が透明な導電層である。
【００１７】
本願の実施例に係るタッチパネルにおいて、透明接着剤層が光学透明接着剤層である。
【００１８】
本願の実施例に係るタッチパネルにおいて、導線保護層がポリイミド層（PI  layer、polyimide  layer）である。
【００１９】
本願の実施例に係るタッチパネルにおいて、透明接着剤層の透光率が導線保護層の透光率より大きい。
【００２０】
本願の実施例に係るタッチパネルにおいて、透明接着剤層の透光率が９０％以上であり、導線保護層の透光率が９０％以下である。
【発明の効果】
【００２１】
前述した本発明の実施例によるタッチパネルは、以下の発明の効果中の少なくとも１つを実現することができる。前述した本発明の実施例において、透明支持層が具備する延伸部を通して複数の長手導線を直接に対応するモジュール回路基板に電気接続することができるので、従来のフレキシブルプリント基板を設置する必要がない。また、フレキシブルプリント基板による抵抗がなくなるので、データを有効に伝送することができる。また、透明支持層の複数の折れ部を曲げることができるので、タッチパネルの辺縁が取るスペースを減らし、且つ透明支持層を曲げることにより生じる応力を減らすことができる。従って、透明支持層と接続部と長手導線の一様性を向上させ、タッチ型表示装置の周辺の辺縁部の幅を減らすことができる。
【００２２】
前述した本発明の特徴と発明の効果を容易に理解するために、以下本発明の複数の実施例を通して、図面を参照しながら、詳しく説明する。
【図面の簡単な説明】
【００２３】
【図１】本発明の実施例に係るタッチパネルを示す平面図である。
【図２】図１のタッチパネルの線Ｉ-Ｉに沿う断面を示す断面図である。
【図３】図１の第一重畳構造と第二重畳構造を示す平面図である。
【図４】図３の第一重畳構造の線Ａ−Ａに沿う断面を示す断面図である。
【図５】図３の第一重畳構造の局部を示す斜視図である。
【図６】図３の第二重畳構造の線Ｂ-Ｂに沿う断面を示す断面図である。
【図７】本発明の他の実施例に係るタッチパネルの第一重畳構造と第二重畳構造を示す平面図である。
【図８】図７の第一重畳構造の線Ｃ−Ｃに沿う断面を示す断面図である。
【図９】本発明の他の実施例に係るタッチパネルを示す平面図である。
【図１０ａ】図９のタッチパネルの線ＩＩ-ＩＩに沿う断面を示す断面図である。
【図１０ｂ】本発明の他の実施例に係るタッチパネルの断面を示す断面図である。
【図１１】本発明の他の実施例に係るタッチパネルの第一重畳構造と第二重畳構造を示す平面図である。
【図１２】本発明の他の実施例に係るタッチパネルの第一重畳構造と第二重畳構造を示す平面図である。
【図１３】本発明の実施例に係るタッチパネルをフレームの中に入れた状態を示す図である。
【図１４】従来のタッチ型表示装置を示す図である。
【発明を実施するための形態】
【００２４】
本発明の前述した内容と後述する技術内容、特徴及び発明の効果などは、図面を参照しながら詳しく説明する以下の複数の実施例に基づいて、十分に実施することができる。以下の実施例に記載されている方向用語、例えば「上」、「下」、「前」、「後」、「左」、「右」などは、参照用図面の方向だけを説明する用語である。即ち、前述した方向用語は、図面の方向を説明する用語であり、本発明を限定する用語ではない。
【００２５】
図１は、本発明の実施例に係るタッチパネルを示す平面図であり、図２は、図１のタッチパネルの線Ｉ-Ｉに沿う断面を示す断面図である。図１と図２による本実施例のタッチパネル１００を表示パネル３２に用いて、表示パネル３２が操作用インターフェースになるようにする。タッチパネル１００は、透明基板１１０とタッチモジュール１２０とを具備する。タッチモジュール１２０は、透明基板１１０の上に配置されている。タッチモジュール１２０は、抵抗膜方式タッチモジュール或いは静電容量方式タッチモジュールである。タッチモジュール１２０は、タッチパネル表示区域ＴＰＶＡ（touch  panel  view  area）とタッチパネル作動区ＴＰＡＡ（touch  panel  active  area）とを具備する。透明基板１１０に投影したタッチモジュール１２０の正射影１２０１は、透明基板１１０の辺縁輪郭線１１０１の内に置かれる。且つ、透明基板１１０に投影したタッチモジュール１２０の正射影１２０１の一辺と対応する透明基板１１０の一辺との間に一定な距離Ｇがある。従って、タッチパネル１００に用いられるケースを透明基板１１０の辺縁に確実に係合或いは接着することができる。タッチモジュール１２０は、別々に横向きの電極と縦向きの電極を形成するための第一重畳構造１２０ａと第二重畳構造１２０ｂを具備する。図に示していない実施例において、タッチパネル１００のタイプ或いは精度に従って、タッチモジュール１２０が第一重畳構造１２０ａだけを具備するようにしてもよい。
【００２６】
図３は、図１の第一重畳構造と第二重畳構造を示す平面図であり、図４は、図３の第一重畳構造の線Ａ−Ａに沿う断面を示す断面図である。図２〜図４を参照すると、第一重畳構造１２０ａは、透明支持層１２２と、パターン化導電層１２４と、複数の長手導線１２６と、透明接着剤層１２７と、導線保護層１２８と、を含む。透明支持層１２２は、作動区１２２ａと、延伸部１２２ｂと、複数の折れ部１２２ｃと、を含む。図３において、図面のパターン化導電層１２４の構造をより詳しく説明するために、透明接着剤層１２７と導線保護層１２８は示していない。作動区１２２ａは、図１のタッチパネル作動区ＴＰＡＡに対応する。複数の折れ部１２２ｃは、作動区１２２ａと延伸部１２２ｂとの間にそれぞれ繋がっている。透明支持層１２２の複数の折れ部１２２ｃを曲げることができるので、タッチパネル１００の辺縁部が占めるスペースを減らすことができる。従って、このタッチパネル１００を用いるタッチ型表示装置の辺縁部の幅を狭くすることができる。
【００２７】
パターン化導電層１２４は、電極パターン区１２４ａと、電極パターン区１２４ａから延伸して形成された複数の接続部１２４ｂと、を含む。電極パターン区１２４ａは、作動区１２２ａに配置され、複数の接続部１２４ｂは、作動区１２２ａの上に配置されている。
【００２８】
複数の長手導線１２６は、例えば銀導線であり、複数の接続部１２４ｂとそれぞれ電気接続するように透明支持層１２２の上に配置されている。複数の長手導線１２６は、延伸部１２２ｂまで延伸されている。透明支持層１２２が延伸部１２２ｂを具備することにより、複数の長手導線１２６を直接に対応するモジュール回路基板に電気的に接続することができるので、従来のフレキシブルプリント基板（ＦＰＣ）を配置する必要がない。また、フレキシブルプリント基板による抵抗がなくなるので、データを有効に伝送することができる。透明接着剤層１２７は、電極パターン区１２４ａを覆うように透明支持層１２２の上に配置されている。導線保護層１２８は、延伸部１２２ｂにある複数の長手導線１２６の少なくとも一部を覆うように透明支持層１２２の上に配置されている。透明接着剤層１２７は、複数の接続部１２４ｂと、接続部１２４ｂの上にある複数の長手導線１２６の一部とを覆う。透明支持層１２２の各々の折れ部１２２ｃの長さをＬとし、幅をＷとする。長さＬは、作動区１２２ａと延伸部１２２ｂとの間の距離であり、幅Ｗは、各折れ部１２２ｃの幅である。透明支持層１２２を曲げるときに生じる応力を下げるとともに、透明支持層１２２と接続部１２４ｂと長手導線１２６などの一様性を保つため、状況に従って長さＬを増加するか或いは幅Ｗを減少することができる。または、長さＬを増加するとともに幅Ｗを減少することもできる。
【００２９】
本実施例において、パターン化導電層１２４は、透明な導電層である。例えば、透明で導電可能な金属化合物（例えば酸化インジウムスズ）或いは透光率を向上させることができる極めて細い金属線からなる透明な導電層である。透明接着剤層１２７は、光学透明接着剤層である。光学透明接着剤は、主に薄膜状の光学透明接着剤（optical  clear  adhesive、ＯＣＡ）と液体状の光学透明樹脂（optically  clear  resin、ＯＣＲ）がある。導線保護層１２８は、ポリイミド層（PI  layer、polyimide  layer）である。導線保護層１２８の透光率が透明接着剤層１２７の透光率より小さくてもよい。例えば、透明接着剤層１２７の透光率を９０％以上にし、導線保護層１２８の透光率を９０％以下にすることができる。
【００３０】
図５は、図３の第一重畳構造の一部を示す斜視図である。図２と図５の第一重畳構造１２０ａにおいて、透明支持層１２２の折れ部１２２ｃを曲げることができる。即ち、透明支持層１２２の折れ部１２２ｃにより、延伸部１２２ｂを透明支持層１２２の作動区１２２ａに対して相対的に曲げることができる。
【００３１】
図６は、図３の第二重畳構造の線Ｂ-Ｂに沿う断面を示す断面図である。図２と図３と図６とを参照すると、図２と図３において、第二重畳構造１２０ｂと第一重畳構造１２０ａを区別するために第二重畳構造１２０ｂを点線で示した。第二重畳構造１２０ｂは、第一重畳構造１２０ａに重畳されている。第二重畳構造１２０ｂの構造は、第一重畳構造１２０ａの構造に似ている。第二重畳構造１２０ｂも、透明支持層１２２と、パターン化導電層１２４と、複数の長手導線１２６と、透明接着剤層１２７と、導線保護層１２８と、を含む。図３に示すとおり、本発明の実施例において、第一重畳構造１２０ａの電極パターン区１２４ａの電極パターンと第二重畳構造１２０ｂの電極パターン区１２４ａの電極パターンが互いに補い合う。
【００３２】
図７は、本発明の他の実施例に係るタッチパネルの第一重畳構造と第二重畳構造を示す平面図であり、図８は、図７の第一重畳構造の線Ｃ−Ｃに沿う断面を示す断面図である。図７と図８において、図面のパターン化導電層１２４の構造をより詳しく説明するため、透明接着剤層１２７と導線保護層１２８を示していない。図２と図３に示した実施例の第一重畳構造１２０ａと比較すると、本実施例の複数の接続部１２４ｂが作動区１２２ａから折れ部１２２ｃの上まで延伸しており、透明接着剤層１２７が複数の接続部１２４ｂの一部を覆い、且つ導線保護層１２８が接続部１２４ｂの上にある複数の長手導線１２６の一部を覆っている。
【００３３】
図９は、本発明の他の実施例に係るタッチパネルを示す平面図であり、図１０ａは、図９のタッチパネルの線ＩＩ-ＩＩに沿う断面を示す断面図である。図９と図１０ａを参照すると、本実施例のタッチパネル１００ａの構造が図２のタッチパネル１００の構造に似ている。本実施例のタッチパネル１００ａと図２のタッチパネル１００との間の相違点は、本実施例のタッチパネル１００ａが図２のタッチパネル１００より隔離フィルム１４０をさらに含むことにある。
【００３４】
本実施例のタッチパネル１００ａと図２のタッチパネル１００との間の相違点は、本実施例のタッチパネル１００ａのタッチモジュール１２０の第一重畳構造１２０ａと透明基板１００が接着する接着表面が異なることにもある。具体的に説明すると、本実施例のタッチパネル１００ａのタッチモジュール１２０が透明接着剤層１３０をさらに含み、第一重畳構造１２０ａの透明支持層１２２が透明接着剤層１３０により透明基板１１０に接着されている。第一重畳構造１２０ａの透明支持層１２２を透明基板１１０のそばに配置するとき、透明基板１１０のパターン化導電層１２４から最も離れる。即ち、第二重畳構造１２０ｂのパターン化導電層１２４を透明基板１１０のある透明支持層１２２の反対面に配置する場合、即ち、透明支持層１２２が表示パネル３２の一面に向き合うように配置する場合、パターン化導電層１２４が外に露出する。また、第二重畳構造１２０ｂのパターン化導電層１２４が酸化することを防ぐために、タッチモジュール１２０に隔離フィルム１４０をさらに設け、第二重畳構造１２０ｂの透明接着剤層１２７を通して隔離フィルム１４０を第二重畳構造１２０ｂのパターン化導電層１２４に接着させる。図１０ｂに示す本発明の他の実施例においては、タッチモジュール１２０が第一重畳構造１２０ａだけを含む。第一重畳構造１２０ａと透明基板１００が接着する接着表面の違いにより、隔離フィルム１４０を選択的に設けることができる。例えば、第一重畳構造１２０ａの透明支持層１２２を透明基板１１０のそばに配置すると、透明基板１１０のパターン化導電層１２４から最も離れる。即ち、第一重畳構造１２０ａのパターン化導電層１２４を透明基板１１０のある透明支持層１２２の反対面に配置する場合、即ち、透明支持層１２２と表示パネル３２の一面が向き合うように配置する場合、第一重畳構造１２０ａの透明接着剤層１２７を通して隔離フィルム１４０を第一重畳構造１２０ａのパターン化導電層１２４に接着させる。
【００３５】
図１１は、本発明の他の実施例に係るタッチパネルの第一重畳構造と第二重畳構造を示す平面図である。図１１と図３の第一重畳構造１２０ａ及び第二重畳構造１２０ｂを比較すると、図１１の第二重畳構造１２０ｂが相対的に設けられる２つの延伸部１２２ｂをさらに含む。
【００３６】
図１２は、本発明の他の実施例に係るタッチパネルの第一重畳構造と第二重畳構造を示す平面図である。図１２と図１１の第一重畳構造１２０ａ及び第二重畳構造１２０ｂを比較すると、図１２の第一重畳構造１２０ａは、もう一つの延伸部１２２ａをさらに含む。第一重畳構造１２０ａの２つの延伸部１２２ａは、対向して設けられている。
【００３７】
図１３は、本発明の実施例に係るタッチパネルがフレームの中に入っている状態を示す図である。図１３の実施例において、通常タッチパネル１００とその内部の電気回路を保護するために、タッチパネル１００がケースに入っているタッチ型表示装置３０を構成して使用者に提供する。本実施例の透明支持層１２２が直接に曲げることができる複数の折れ部１２２ｃを具備したので、タッチパネル１００をフレーム３１の中に入れるとき、タッチパネル１００をフレーム３１との間のスペースが足りなくて、フレーム３１が透明支持層１２２を圧迫する力により、透明支持層１２２が断裂し、且つ長手導線１２６と接続部１２４ｂが壊れることを防ぐことができる。即ち、フレーム３１とタッチパネル１００との間に大きいスペースを形成する必要がないので、タッチパネル１００のサイズにほぼ等しいフレーム３１を使って、タッチ型表示装置３０の周辺の辺縁部の幅を減らすことができる。
【００３８】
前述した本発明の実施例において、透明支持層が具備する延伸部により、複数の長手導線を直接に対応するモジュール回路基板に電気接続することができるので、従来のフレキシブルプリント基板を設置する必要がない。従って、フレキシブルプリント基板による抵抗がなくなるので、データを有効に伝送することができる。また、透明支持層の複数の折れ部を曲げることができるので、タッチパネルの辺縁が占めるスペースを減らし、透明支持層を曲げるときに生じる応力を減らすことができる。従って、透明支持層と接続部と長手導線の完全性を向上させ、タッチ型表示装置の周辺の辺縁部の幅を減らすことができる。
【００３９】
前述した内容は、本発明の最適な実施例であるが、前述した内容により本発明の技術的範囲を限定する意図はない。本願の特許請求の範囲及び明細書の内容に基づく容易な変更或いは修正は、本願の特許請求の範囲が定めた範囲に属する。本実施形態のいずれの実施例或いは特許請求の範囲は、本発明が公開した目的、長所或いは特徴のすべてを達成しなくても良い。要約と発明の名称は、特許文献を検索するためにものであり、本発明の特許請求の範囲を定めるものではない。
【符号の説明】
【００４０】
２０  タッチ型表示装置
２１  フレーム
２２  表示パネル
２３  タッチパネル
２４  フレキシブルプリント基板
３０  タッチ型表示装置
３２  表示パネル
１００、１００ａ  タッチパネル
１１０  透明基板
１１０１  辺縁輪郭線
１２０  タッチパネル
１２０ａ  第一重畳構造
１２０ｂ  第二重畳構造
１２０１  透明基板に投影したタッチモジュールの正射影
１２２  透明支持層
１２２ａ  作動区
１２２ｂ、１２２ｄ  延伸部
１２２ｃ  折れ部
１２４  パターン化導電層
１２４ａ  電極パターン区
１２４ｂ  接続部
１２６  長手導線
１２７  透明接着剤層
１２８  導線保護層
１３０  透明接着剤層
１４０  隔離フィルム
Ｇ  距離
Ｌ  長さ
Ｗ  幅
【図１】
0005635665.tif 000002
【図２】
0005635665.tif 000003
【図３】
0005635665.tif 000004
【図４】
0005635665.tif 000005
【図５】
0005635665.tif 000006
【図６】
0005635665.tif 000007
【図７】
0005635665.tif 000008
【図８】
0005635665.tif 000009
【図９】
0005635665.tif 000010
【図１０ａ】
0005635665.tif 000011
【図１０ｂ】
0005635665.tif 000012
【図１１】
0005635665.tif 000013
【図１２】
0005635665.tif 000014
【図１３】
0005635665.tif 000015
【図１４】
0005635665.tif 000016